(57)【要約】【課題】  筐体の製作コストを安くできるようにする。【解決手段】  略四角形の金属板を左右の側辺部１５ａ，１５ｂどうしが互いに対向するように屈曲させて筒状フレーム材１４を形成し、そのフレーム材を、画像形成用機器を収容可能な筐体の金属製底板１１に溶接する画像形成装置におけるフレーム溶接方法であって、底板を、その端面１８が側辺部どうしの対向箇所１６に臨むようにフレーム材に重ねて、端面と対向箇所の両側辺部とを同時に溶接する。【選択図】        図４
2006091690.tif 000002
【特許請求の範囲】
【請求項１】
略四角形の金属板を左右の側辺部どうしが互いに対向するように屈曲させて筒状フレーム材を形成し、
前記フレーム材を、画像形成用機器を収容可能な筐体の金属製底板に溶接する画像形成装置におけるフレーム溶接方法であって、
前記底板を、その端面が前記側辺部どうしの対向箇所に臨むように前記フレーム材に重ねて、前記端面と前記対向箇所の両側辺部とを同時に溶接する画像形成装置におけるフレーム溶接方法。
【請求項２】
前記底板を、その端面が前記側辺部どうしの対向箇所に沿って一連に臨むように、前記フレーム材に重ねる請求項１記載の画像形成装置におけるフレーム溶接方法。
【請求項３】
前記金属板を前記側辺部どうしが板面に沿う方向で互いに対向する角筒状に屈曲させて、前記フレーム材を形成する請求項１又は２記載の画像形成装置におけるフレーム溶接方法。
【発明の詳細な説明】
【技術分野】
【０００１】
本発明は、略四角形の金属板を左右の側辺部どうしが互いに対向するように屈曲させて筒状フレーム材を形成し、前記フレーム材を、画像形成用機器を収容可能な筐体の金属製底板に溶接する画像形成装置におけるフレーム溶接方法に関する。
【背景技術】
【０００２】
コピー機やプリンターなどの画像形成装置では、高画質の画像を形成できるように、大きな剛性を備えた変形が少ない筐体に画像形成用機器を収容してあり、筐体底部の剛性を高めるために、筒状フレーム材を筐体の金属製底板に溶接してある（例えば、特許文献１参照）。
上記画像形成装置におけるフレーム溶接方法は、略四角形の金属板を左右の側辺部どうしが互いに対向するように屈曲させた筒状フレーム材を、筐体の金属製底板に溶接するので、所望強度の筒状フレーム材を形成できるように、金属板の厚さや寸法を設定して、必要な剛性を効率良く確保できるが、従来のフレーム溶接方法では、筒状フレーム材の形状剛性を確保できるように、その互いに対向する側辺部どうしを予め一体に溶接してから、筐体の金属製底板に溶接している（慣用技術であり、先行技術文献情報を開示できない）。
【０００３】
【特許文献１】特開２００３−６６６７１号公報
【発明の開示】
【発明が解決しようとする課題】
【０００４】
このため、筒状フレーム材を筐体の金属製底板に溶接するために、形状剛性を確保できるように筒状フレーム材の互いに対向する側辺部どうしを一体に溶接する工程と、そのフレーム材を筐体の金属製底板に溶接する工程との二つの溶接工程が必要で、筐体の製作コストが高くなる欠点がある。
本発明は上記実情に鑑みてなされたものであって、筐体の製作コストを安くできるようにすることを目的とする。
【課題を解決するための手段】
【０００５】
本発明の第１特徴構成は、略四角形の金属板を左右の側辺部どうしが互いに対向するように屈曲させて筒状フレーム材を形成し、前記フレーム材を、画像形成用機器を収容可能な筐体の金属製底板に溶接する画像形成装置におけるフレーム溶接方法であって、前記底板を、その端面が前記側辺部どうしの対向箇所に臨むように前記フレーム材に重ねて、前記端面と前記対向箇所の両側辺部とを同時に溶接する点にある。
【０００６】
〔作用及び効果〕
筐体の金属製底板を、その端面が側辺部どうしの対向箇所に臨むように筒状フレーム材に重ねて、金属製底板の端面と対向箇所の両側辺部とを同時に溶接するので、一つの溶接工程で、形状剛性を確保できるように筒状フレーム材の互いに対向する側辺部どうしを一体に溶接しながら、そのフレーム材を筐体の金属製底板に溶接することができ、筐体の製作コストを安くすることができる。
【０００７】
本発明の第２特徴構成は、前記底板を、その端面が前記側辺部どうしの対向箇所に沿って一連に臨むように、前記フレーム材に重ねる点にある。
【０００８】
〔作用及び効果〕
底板を、その端面が側辺部どうしの対向箇所に沿って一連に臨むように、筒状フレーム材に重ねるので、金属製底板の端面と対向箇所の両側辺部とを同時に溶接することで、筒状フレーム材における側辺部どうしの対向箇所を別途溶接することなく、筒状フレーム材の形状剛性をその長手方向に沿って一連に確保し易い。
【０００９】
本発明の第３特徴構成は、前記金属板を前記側辺部どうしが板面に沿う方向で互いに対向する角筒状に屈曲させて、前記フレーム材を形成する点にある。
【００１０】
〔作用及び効果〕
金属板を側辺部どうしが板面に沿う方向で互いに対向する角筒状に屈曲させて、筒状フレーム材を形成するので、金属製底板を筒状フレーム材に面接触するように重ねて、その端面が側辺部どうしの対向箇所に臨ませることができ、金属製底板と筒状フレーム材とを溶接する際の相対位置を位置決めし易い。
【発明を実施するための最良の形態】
【００１１】
以下に本発明の実施の形態を図面に基づいて説明する。
図１，図２は、コピー機やプリンターなどの画像形成装置において、装置本体の内部機器、例えば画像形成部や給紙トレイ，給紙トレイの用紙を画像形成部に搬送する用紙搬送部などを収容する鋼製枠組み状筐体Ａを示している。
【００１２】
前記筐体Ａは主として板金製部材を溶接で接合して組み立ててあり、装置本体の前面側に沿って配置してある前側板１と、装置本体の背面側に沿って配置してある後側板２とを、キャスター１９や設置高さ調節用のアジャスター２０を備えたベース部材３の前後に互いに略平行な姿勢で垂直に固定し、横フレーム材４，５，６などで間隔を隔てて連結して構成してある。
【００１３】
前記前側板１は、内部機器の保守点検や給紙トレイの出し入れなどができるように上下に大きな開口７ａ，７ｂを備えた枠状に形成してあり、前側板１及び後側板２の外周部を外向きに折り曲げて、略全周に亘って補強用のフランジ１ａ〜１ｄ，２ａ〜２ｄを設け、これらのフランジ１ａ〜１ｄ，２ａ〜２ｄにベース部材３や横フレーム材４〜６などを固定して、前側板１と後側板２とを間隔を隔てて連結してある。
【００１４】
つまり、図２に示すように、前側板１と後側板２の左右の上端角部どうしを横断面形状が略Ｌ字形の第１，第２横フレーム材４，５で連結して、第１横フレーム材４と第２横フレーム材５との間に上板部材８を取り付けると共に、前側板１と後側板２の上下方向中間どうしを、第１横フレーム材４の下方の第３横フレーム材６と、第２横フレーム材５の下方の中間側板９と、上板部材８の下方の中間板材１０で連結してある。
【００１５】
前記ベース部材３は、筐体Ａの鋼製底板１１を略四角形の鋼製枠体１２の下面側に溶接して構成してあり、底板１１は、筐体Ａにおける左右方向中央部にコの字形の溝状凹入部１３を形成するように板金加工してあり、枠体１２は、板金製の筒状フレーム材１４の四本を略四角形に溶接接合して構成してあり、各筒状フレーム材１４を、本発明によるフレーム溶接方法で底板１１に溶接してある。
【００１６】
図３はベース部材３を下面側から見た分解斜視図で、枠体１２は、図４にも示すように、略四角形の鋼板を左右の側辺部１５ａ，１５ｂどうしが板面に沿う方向で互いに対向する四角筒状に屈曲させて形成した４本の筒状フレーム材１４を、各側辺部１５ａ，１５ｂどうしの対向箇所１６を下向きにして、略四角形の枠状に溶接接合してあり、底板１１の外周部には、各筒状フレーム材１４の下面側に溶接するための鍔１７を一体に形成してある。
【００１７】
そして、図４（イ）に示すように、各鍔１７の側端面１８が側辺部１５ａ，１５ｂどうしの対向箇所１６に沿って一連に臨むように、底板１１を各筒状フレーム材１４の下面側に面接触するように重ねて、図４（ロ），図５に示すように、側端面１８と対向箇所１６の両側辺部１５ａ，１５ｂとを、所定間隔を隔てて設定した複数の溶接ポイントＰにおいて、抵抗溶接法やアーク溶接法で同時に溶接してある。
【００１８】
〔その他の実施形態〕
１．本発明による画像形成装置におけるフレーム溶接方法は、略四角形の金属板を左右の側辺部どうしが互いに対向するように円筒状に屈曲させて形成した円筒状フレーム材を、筐体の金属製底板に溶接するために使用しても良い。
２．本発明による画像形成装置におけるフレーム溶接方法は、底板の端面を、側辺部どうしの対向箇所に沿って一連に臨ませて、その対向箇所の両側辺部に対して全長に亘って連続的に溶接しても良い。
３．本発明による画像形成装置におけるフレーム溶接方法は、底板に貫通孔を形成して、その貫通孔に臨む底板の端面が側辺部どうしの対向箇所に臨むように底板を筒状フレーム材に重ねて、側端面と対向箇所の両側辺部とを同時に溶接しても良い。
４．本発明による画像形成装置におけるフレーム溶接方法は、フレーム材や底板を構成する金属は鋼に限定されず、例えばアルミ合金板を屈曲させて形成した筒状フレーム材を、筐体のアルミ合金製底板に溶接するために使用しても良い。
５．本発明による画像形成装置におけるフレーム溶接方法は、コピー機やプリンターなどの他、ファクシミリに使用しても良い。
【図面の簡単な説明】
【００１９】
【図１】筺体を正面側上方から見た斜視図
【図２】筺体を正面側下方から見た斜視図
【図３】ベース部材を下面側から見た分解斜視図
【図４】本発明によるフレーム溶接方法を示す要部の断面図
【図５】ベース部材を下面側から見た斜視図
【符号の説明】
【００２０】
１１    底板
１４    フレーム材
１５ａ  側辺部
１５ｂ  側辺部
１６    対向箇所
１８    端面
Ａ      筐体
【図１】
2006091690.tif 000003
【図２】
2006091690.tif 000004
【図３】
2006091690.tif 000005
【図４】
2006091690.tif 000006
【図５】
2006091690.tif 000007